(57)【要約】【課題】カメラモジュールと別体にマイクやジャックを設ける必要なしに音声信号を活用可能であり、小型化、軽量化を実現できる携帯端末装置を提供する。【解決手段】撮像部６１およびマイク部６２が一体として構成されたカメラモジュール６を備えた携帯端末装置１００について、撮像部６１からの映像信号の入力制御を行う映像入力制御手段７１と、マイク部６２からの音声信号の入力制御を行う音声入力制御手段７２とを、別々に制御可能であるように設ける。【選択図】図３
2014011686.tif 000002
【特許請求の範囲】
【請求項１】
撮像部およびマイク部が一体として構成されたカメラモジュールを備えた携帯端末装置であって、
前記撮像部からの映像信号の入力制御を行う映像入力制御手段と、前記マイク部からの音声信号の入力制御を行う音声入力制御手段とが、別々に制御可能に設けられたことを特徴とする携帯端末装置。
【請求項２】
制御手段を備え、
前記映像入力制御手段は、前記撮像部からの映像信号を前記制御手段により使用可能とするよう入力制御を行い、
前記音声入力制御手段は、前記マイク部からの音声信号を前記制御手段により使用可能とするよう入力制御を行うことを特徴とする請求項１記載の携帯端末装置。
【請求項３】
前記制御手段は、
前記撮像部からの映像信号を用いて所定の処理を行う映像処理部と、
前記マイク部からの音声信号を用いて所定の処理を行う音声処理部と、を含むことを特徴とする請求項２記載の携帯端末装置。
【請求項４】
前記携帯端末装置は、本体側筐体と、画面側筐体とがヒンジ部を介して開閉可能に連結されて構成され、
前記カメラモジュールは、前記画面側筐体に配設されたことを特徴とする請求項１から３の何れか１項に記載の携帯端末装置。
【発明の詳細な説明】
【技術分野】
【０００１】
本発明は、カメラモジュールが内蔵された携帯端末装置に関する。
【背景技術】
【０００２】
従来より、撮像部およびマイク部が一体として構成されたカメラモジュールを携帯端末装置に設けたものがある。こうした一体構成のカメラモジュールは、撮像部およびマイク部を携帯端末装置に設けるに当たって、非常にコンパクトかつ低コストであるため、広く用いられている。
【０００３】
また、携帯端末装置では、ＣＰＵ（Central Processing Unit）などを実装したメイン基板を格納する筐体側面に、外部マイク接続用のジャックを備えることが一般的である。こうした外部マイクを接続することにより、音声信号だけを用いるアプリケーションでも外部マイクによる音声信号を活用できるようになっている。
【０００４】
また、メイン基板を格納する筐体における手前側にマイクを設け、ユーザに近い位置にマイクを配置するようにしたノート型ＰＣ（Personal Computer）が知られている（例えば、特許文献１参照）。
【先行技術文献】
【特許文献】
【０００５】
【特許文献１】特開２０１１−１２３７６３号公報
【発明の概要】
【発明が解決しようとする課題】
【０００６】
しかしながら、上述のような撮像部およびマイク部が一体として構成されたカメラモジュールでは、撮像部とマイク部が一体として扱われているため、撮像部を使用しない設定の場合にはマイク部からの音声信号も使用対象とされていなかった。
無論、撮像部の使用／不使用に関わらず、外部マイク接続用のジャックに外部マイクを接続すれば音声信号を活用できるが、換言すれば、一般的に設けられている外部マイク接続用のジャックを活用する構成が前提となっていた。
【０００７】
また、上述した特許文献１のようにマイクをカメラモジュールと別体に設けた構成では、装置の小型化、軽量化の観点において、撮像部およびマイク部が一体として構成されたカメラモジュールを用いる構成の方が有利となっていた。
【０００８】
本発明はこのような状況に鑑みてなされたものであり、カメラモジュールと別体にマイクやジャックを設ける必要なしに音声信号を活用可能であり、小型化、軽量化を実現できる携帯端末装置を提供することを目的とする。
【課題を解決するための手段】
【０００９】
かかる目的を達成するために、本発明に係る携帯端末装置は、撮像部およびマイク部が一体として構成されたカメラモジュールを備えた携帯端末装置であって、撮像部からの映像信号の入力制御を行う映像入力制御手段と、マイク部からの音声信号の入力制御を行う音声入力制御手段とが、別々に制御可能に設けられたことを特徴とする。
【発明の効果】
【００１０】
以上のように、本発明によれば、カメラモジュールと別体にマイクやジャックを設ける必要なしに音声信号を活用可能である。このため、携帯端末装置をさらに小型化、軽量化することが可能となる。
【図面の簡単な説明】
【００１１】
【図１】本発明の実施形態としてのノート型ＰＣ１００の外観例を示す斜視図である。
【図２】カメラモジュール６の構成例を示す斜視図である。
【図３】本実施形態のノート型ＰＣ１００における制御系の構成を示すブロック図である。
【発明を実施するための形態】
【００１２】
次に、本発明に係る携帯端末装置をノート型ＰＣに適用した一実施形態について、図面を用いて詳細に説明する。
本実施形態のノート型ＰＣは、外部マイク接続用のジャックを必要とせずに音声信号を活用可能であり、このため、薄型化、軽量化を実現できる好適なものを例示している。
【００１３】
本実施形態のノート型ＰＣ１００は、図１に示すように、ＣＰＵなどを実装したメイン基板（不図示）を格納する本体側筐体１に、ＬＣＤ（）などによる表示部５を備えた画面側筐体２が、ヒンジ部３により開閉可能に連結されて構成される。
本体側筐体１には、キーボード４１やタッチパッド（ポインティング・デバイス）４２といった操作入力部が設けられる。
【００１４】
また、画面側筐体２における表示部５外縁の上端部にはカメラモジュール６が配設される。カメラモジュール６は、図２に示すように、カメラ部（撮像部）６１と、ステレオ音声用のマイク部６２（右側マイク部６２ａおよび左側マイク部６２ｂ）とが一体としてコンパクトに構成される。また、カメラモジュール６は、カメラ部６１による映像信号を出力するための映像用ケーブル６３と、マイク部６２による音声信号を出力するための音声用ケーブル６４とを備える。
【００１５】
こうした構成により、ユーザがヒンジ３を開いて作業する際に、表示部５の画面表示を見るユーザの表情をカメラモジュール６のカメラ部６１で撮影することができ、例えばテレビ電話などの用途にも好適に使用できる。また、カメラモジュール６は、画面側筐体２に固定された構成であってもよく、画面側筐体２に回転可能に設けられてもよい。
【００１６】
次に、本実施形態のノート型ＰＣ１００における制御系の構成について、図３のブロック図を参照して説明する。
【００１７】
本実施形態のノート型ＰＣ１００は、図３に示すように、制御系の構成として、カメラモジュール６からの入力信号の入力制御を行う入力制御部７と、入力制御部７を介して入力信号を受信して各種制御を行う制御部８とを備える。
【００１８】
入力制御部７は、カメラモジュール６のカメラ部６１により撮像された映像信号の入力制御を行う映像入力制御部７１と、カメラモジュール６のマイク部６２により集音された音声信号の入力制御を行う音声入力制御部７２と、を備える。
【００１９】
制御部８は、映像信号および音声信号を用いて動画の編集等、ユーザから指定された所定の処理を行う動画処理部８１と、音声信号を用いて音声情報の編集等、ユーザから指定された所定の処理を行う音声処理部８２とを備える。
また、こうした動画処理部８１や音声処理部８２などにおけるユーザ操作をキーボード４１やタッチパッド４２などの操作部４から受けると共に、表示画面を表示部５に表示させる。
【００２０】
動画処理部８１は、例えば動画編集アプリケーションによる編集作業などを実現するものであり、入力制御部７を介してカメラモジュール６からの映像信号および音声信号の入力を受けることにより、映像および音声による動画に対して、ユーザから指定された所定の処理を行う。
【００２１】
音声処理部８２は、例えば音声編集アプリケーションによる編集作業などを実現するものであり、入力制御部７を介してカメラモジュール６からの音声信号の入力を受けることにより、入力された音声情報に対して、ユーザから指定された所定の処理を行う。
【００２２】
入力制御部７の映像入力制御部７１は、例えば動画処理部８１を構成する動画編集アプリケーションからカメラ部６１を入力デバイスとして活用可能とさせ、このことにより、カメラ部６１からの映像信号をその動画編集アプリケーションに入力させ、編集等のユーザから指定された所定の処理を実行できるようにする。
【００２３】
入力制御部７の音声入力制御部７２は、例えば動画処理部８１を構成する動画編集アプリケーションや、音声処理部８２を構成する音声編集アプリケーションからマイク部６２を入力デバイスとして活用可能とさせ、このことにより、マイク部６２からの音声信号をそうした動画編集アプリケーションや音声編集アプリケーションに入力させ、編集等のユーザから指定された所定の処理を実行できるようにする。
【００２４】
このように、入力制御部７の映像入力制御部７１および音声入力制御部７２は、制御部８の動画処理部８１や音声処理部８２からの要求等に応じて、別々に制御できるように構成される。
【００２５】
以上のように、本実施形態によれば、入力制御部７の映像入力制御部７１および音声入力制御部７２が制御部８から別々に制御可能となっている。このため、動画処理部８１が処理を行うか否かに関わらず、音声処理部８２がマイク部６２を入力デバイスとして活用でき、マイク部６２からの音声信号を用いて外部の音声情報に対する各種処理を行うことができる。
【００２６】
このため、カメラ部６１と無関係に音声信号を活用する用途に対しても、外部マイク接続用のジャックを必要とせず、音声信号を用いた各種処理が必要に応じて可能である。
このため、各種アプリケーションから特に制約を設ける必要なしに音声信号を使用可能としたままで、本体側筐体１から外部マイク接続用のジャックを省略した構成とすることができる。このため、ユーザの利便性を損なうことなく、本体側筐体１を従来よりも小型化、薄型化、軽量化することができる。
【００２７】
なお、上述した各実施形態は本発明の好適な実施形態であり、本発明はこれに限定されることなく、本発明の技術的思想に基づいて種々変形して実施することが可能である。
【００２８】
例えば、カメラモジュール６に一体構造として設けられるマイク部６２は、上述した実施形態のようにステレオマイクに限定されず、モノラルのマイクであってもよい。
【００２９】
また、カメラモジュール６を上述した実施形態のように備えた構成でありながら、映像入力制御部７１や動画処理部８１を備えていない構成の場合であっても、本発明は同様に実現することができる。
すなわち、例えば映像入力制御部７１や動画処理部８１を備えた構成の情報端末装置と、動画処理部８１を備えていない構成、すなわち動画処理機能を省略した低コストモデルの情報端末装置とをなるべく共通の部品で製造して低コスト化する目的のため、カメラモジュール６を備えた構成でありながら動画処理部８１を備えていない構成とされた場合であっても、本発明は同様に実現することができる。
すなわち、上述した実施形態と同様にカメラモジュール６のマイク部６２からの音声信号を用いて音声処理部８２による各種処理が可能であり、このため、本体側筐体１から外部マイク接続用のジャックを省略した構成とすることができる。このため、製品における部品を共用化して低コスト化すると同時に、本体側筐体１を従来よりも小型化、薄型化、軽量化することができる。
【００３０】
また、上述した実施形態では、本発明に係る携帯端末装置をノート型ＰＣに適用した例について説明したが、本発明を適用する携帯端末装置はノート型ＰＣに限定されず、タブレット型ＰＣ、ＰＤＡ（Personal Digital Assistant）、携帯電話機などにも本発明は同様に適用することができる。
【符号の説明】
【００３１】
１００    ノート型ＰＣ（携帯端末装置）
１    本体側筐体
２    画面側筐体
３    ヒンジ部
４１    キーボード
４２    タッチパッド
５    表示部
６    カメラモジュール
６１    カメラ部（撮像部）
６２    マイク部
６３    映像用ケーブル
６４    音声用ケーブル
７    入力制御部
７１    映像入力制御部
７２    音声入力制御部
８    制御部
８１    動画処理部
８２    音声処理部
【図１】
2014011686.tif 000003
【図２】
2014011686.tif 000004
【図３】
2014011686.tif 000005